(57)【特許請求の範囲】
【請求項１】
地中に水平方向で延設するように埋設した熱交換管内に外部から空気を導入し、前記熱交換管を介して地中熱との間で熱交換した空気を屋内に送出することで、該屋内の冷暖房を行う地中熱交換空調システムであって、
前記熱交換管の一端側に接続され、地上に露出した吸入口から前記空気を吸入する吸入管と、
前記熱交換管の他端側に接続され、前記地上に露出した送風口から熱交換後の前記空気を送出する送風管と、
前記熱交換管内の前記一端側寄りに接続されるとともに、該接続端とは反対側の端部が前記地上に開口する点検用縦管と、
前記熱交換管内の前記点検用縦管と前記他端側との間に接続されるとともに、該接続端とは反対側の端部が前記地上に開口する掃除用縦管と、を備え、
前記熱交換管は、前記一端側から前記他端側に向かうに従って前記地中の下方に傾斜する第１勾配領域と、前記他端側から前記一端側に向かうに従って前記地中の下方に傾斜する第２勾配領域とからなり、前記掃除用縦管との接続部と前記他端側との間に前記第１勾配領域と前記第２勾配領域との接続部が設けられるともに、該接続部に排水管が接続されていることを特徴とする地中熱交換空調システム。
【請求項２】
前記熱交換管は、前記掃除用縦管との接続部における該掃除用縦管と径方向で相対する位置に補強部が設けられていることを特徴とする請求項１に記載の地中熱交換空調システム。
【請求項３】
前記掃除用縦管は、前記熱交換管に対して、前記他端側から前記一端側に向かうに従って前記地中の下方に傾斜するように接続されていることを特徴とする請求項１又は請求項２に記載の地中熱交換空調システム。
【発明の詳細な説明】
【技術分野】
【０００１】
本発明は、地中熱交換空調システムに関する。
【背景技術】
【０００２】
従来、住宅や屋内体育施設、あるいは、厩舎等の農林畜産業施設においては、主としてヒートポンプ式の空調装置が用いられているが、近年では、エコロジー等の観点から、地中熱を利用して熱交換を行う空調システムが採用されることも多くなっている。この空調システムは、例えば、送風機等の動力によって、地中に埋設した熱交換管に空気を取り込み、地中熱との間で熱交換された空気を屋内に導入することで冷暖房の負荷を低減させるものである（例えば、特許文献１を参照）。
【０００３】
一般に、地面から数ｍ程度の地中の温度は、外気温に左右され難いため、一年を通してその場所の年間平均気温に近い温度が維持されていることから、この地中熱を利用した空調システムの研究が古くから行われている。このような空調システムによれば、例えば、外気温の低い冬季においては、−１５℃程度まで温度が低下した空気を地中熱で熱交換することで昇温させ、また、外気温の高い夏季においては、３０℃程度まで温度が上昇した空気を地中熱で熱交換することで降温させる。このような地中熱を利用した空調システムは、上述のヒートポンプ式の空調装置とは異なり、電気やガス等の外部エネルギーを用いる量が少なくて済むことから、経済的で環境にも優しいというメリットがある。
【０００４】
一方、上述のような地中熱交換空調システムにおいては、熱交換管内に空気を取り込んで地中熱との間で熱交換を行った際、特に夏季において管内に結露が生じ、管内に水が溜まった状態となることがある。このように、熱交換管内に水が溜まった場合、例えば、カビが発生したり、管内の汚れが著しく進行したりする等、熱交換管内の環境が悪化し、熱交換された空気を汚染してしまうおそれがある。このため、地中に埋設された熱交換管に排水管を接続し、この排水管から熱交換管内に滞留した水を排出できるように構成した地中熱交換空調システムが提案されている（例えば、特許文献２を参照）。
【先行技術文献】
【特許文献】
【０００５】
【特許文献１】特開２００９−１２７９８２号公報
【特許文献２】特開２００６−１１２６８９号公報
【発明の概要】
【発明が解決しようとする課題】
【０００６】
また、地中熱交換空調システムにおいては、各配管内に塵埃等が堆積することがあるため、定期的に管内の洗浄を行うことが好ましいとされる。このため、例えば、熱交換管に地上に向けて延設される縦管を接続し、この縦管から熱交換管に向けて高圧洗浄機のホースを挿入することで、管内を高圧噴射水によって洗浄できる構成とすることが考えられる。この際、縦管から挿入されたホースが熱交換管内に導入されることで、高圧洗浄水によって熱交換管内が順次洗浄され、使用後に発生する汚れた洗浄水は、上記特許文献２に記載されたような、熱交換管に接続された排水管を通じて排水ポンプに導かれ、下水管に流出させられる。
【０００７】
ここで、熱交換管内に洗浄用の縦管を接続した場合、その位置が適正でないと、内部に導入した高圧洗浄機のホースから吐出される洗浄水が熱交換管内に行き渡らず、部分的に未洗浄の箇所が発生する等、所望の洗浄効果が得られない場合もある。
【０００８】
また、熱交換管内における排水管の接続位置等が適正でないと、結露して滞留した水や、洗浄時に発生した汚れた洗浄水がうまく排水されず、一部の水が熱交換管内に滞留し、それによって管内を逆に汚してしまうおそれもあることから、汚れを完全に除去することが難しいという問題があった。
【０００９】
本発明は上記問題に鑑みてなされたものであり、熱交換管内をむら無く洗浄することができるとともに、内部に存在する水分を効果的に排出することが可能な地中熱交換空調システムを提供することを目的とする。
【課題を解決するための手段】
【００１０】
本発明は、地中に水平方向で延設するように埋設した熱交換管内に外部から空気を導入し、前記熱交換管を介して地中熱との間で熱交換した空気を屋内に送出することで、該屋内の冷暖房を行う地中熱交換空調システムであって、前記熱交換管の一端側に接続され、地上に露出した吸入口から前記空気を吸入する吸入管と、前記熱交換管の他端側に接続され、前記地上に露出した送風口から熱交換後の前記空気を送出する送風管と、前記熱交換管内の前記一端側寄りに接続されるとともに、該接続端とは反対側の端部が前記地上に開口する点検用縦管と、前記熱交換管内の前記点検用縦管と前記他端側との間に接続されるとともに、該接続端とは反対側の端部が前記地上に開口する掃除用縦管と、を備え、前記熱交換管は、前記一端側から前記他端側に向かうに従って前記地中の下方に傾斜する第１勾配領域と、前記他端側から前記一端側に向かうに従って前記地中の下方に傾斜する第２勾配領域とからなり、前記掃除用縦管との接続部と前記他端側との間に前記第１勾配領域と前記第２勾配領域との接続部が設けられるともに、該接続部に排水管が接続されていることを特徴とする。
【００１１】
本発明の構成によれば、熱交換管に対して、空気の吸入側から、吸入管、点検用縦管、掃除用縦管及び送風管が順次接続された構成なので、掃除用縦管から洗浄用のホースを導入して洗浄水を吐出する際、熱交換管の下流側から、特に結露の発生が著しい上流側に向けて、むら無く洗浄水を供給できる。
また、熱交換管に、上記の第１勾配領域及び第２勾配領域が設けられ、これらの接続部に排水管が接続された構成なので、熱交換管内で結露した水や、洗浄時に発生した汚れた洗浄水が滞りなく排水管に向けて排水され、内部に水が滞留するのを防止できる。
【００１２】
また、本発明の地中熱交換空調システムは、上記構成において、前記熱交換管は、前記掃除用縦管との接続部における該掃除用縦管と径方向で相対する位置に補強部が設けられていることを特徴とする。
【００１３】
本発明の構成によれば、熱交換管と掃除用縦管との接続部に補強部が設けられることで、例えば、地上から掃除用縦管に洗浄用のホースを導入した際、ホースの先端部が熱交換管の内壁に接触・衝突した場合でも、この箇所が破損するのを抑制できる。
【００１４】
また、本発明の地中熱交換空調システムは、上記構成において、前記掃除用縦管は、前記熱交換管に対して、前記他端側から前記一端側に向かうに従って前記地中の下方に傾斜するように接続されている構成を採用してもよい。
【００１５】
本発明の構成によれば、掃除用縦管を上記のように傾斜させて熱交換管に接続することで、地上から掃除用縦管に洗浄用のホースを導入した際、熱交換管と掃除用縦管との接続部においてホースの先端部がスムーズに熱交換管内に導入されるので、洗浄時の作業性が向上するとともに、熱交換管内にむらなく洗浄水を供給できる。
【発明の効果】
【００１６】
本発明の地中熱交換空調システムによれば、熱交換管に対して、空気の吸入側から、吸入管、点検用縦管、掃除用縦管及び送風管が順次接続された構成なので、掃除用縦管から洗浄用のホースを導入して洗浄水を吐出する際、熱交換管の下流側から、特に結露の発生が著しい上流側に向けて、むら無く洗浄水を供給でき、均一な洗浄が可能となる。また、熱交換管に、一端側から下方に傾斜する第１勾配領域と、他端側から下方に傾斜する第２勾配領域とが設けられ、これら各勾配領域の接続部に排水管が接続された構成なので、熱交換管内で結露した水や、洗浄時に発生した汚れた洗浄水が滞りなく排水管に向けて排水され、内部に水が滞留するのを防止でき、汚れた水が滞留したり、それに伴ってカビが発生したりするのを防止することが可能となる。従って、熱交換管の内部を清浄な状態に保つことが可能となり、熱交換効率、ひいては冷暖房効率に優れた地中熱交換空調システムを提供することが可能となる。
【図面の簡単な説明】
【００１７】
【図１】本発明の一実施形態である地中熱交換空調システムを模式的に示す概略図である。
【図２】本発明の一実施形態である地中熱交換空調システムを模式的に示す概略図であり、地上から掃除用縦管内に洗浄用のホースを導入した状態を示す図である。
【図３】本発明の一実施形態である地中熱交換空調システムを模式的に示す概略図であり、地上から掃除用縦管内に洗浄用のホースの先端部近傍が熱交換管の内部に導入された状態を示す図である。
【図４】本発明の他の実施形態である地中熱交換空調システムを模式的に示す概略図である。
【発明を実施するための形態】
【００１８】
以下、図面を参照して本発明に係る地中熱交換空調システムの実施の形態について、図１〜図４を参照しながらその構成を説明する。なお、以下の説明で用いる図面は、その特徴をわかりやすくするために、便宜上、特徴となる部分を拡大して示している場合があり、各構成要素の寸法比率等は、実際とは異なる場合がある。
【００１９】
図１の概略図に示すように、本実施形態の地中熱交換空調システム１は、地中Ｅに水平方向で延設するように埋設した熱交換管２内に外部から空気を導入し、熱交換管２を介して地中熱との間で熱交換した空気Ａを図示略の屋内空間に送出することで、この屋内空間の冷暖房を行うものである。この地中熱交換空調システム１は、上記の熱交換管２と、この熱交換管２の一端２１側に接続される吸入管３と、熱交換管２の他端２２側に接続される送風管４と、熱交換管２内の一端２１側寄りに接続される点検用縦管５と、熱交換管２内の点検用縦管５と他端２２側との間に接続される掃除用縦管６と、上記の熱交換管２に接続される排水管７とを備え、概略構成されている。
【００２０】
また、図１〜図４においては図示を省略しているが、本実施形態の地中熱交換空調システムには、熱交換管２、あるいは、その両端２１に接続される吸入管３内の何れかの箇所に、空気Ａを吸入管３の吸入口３１から取り込んで熱交換管２内に導入した後、送風管４の送風口４１から送出するための、モータやファン等から構成される送風機が設けられている。
【００２１】
熱交換管２は、上述のように、地中Ｅに埋設され、一端２１側に接続される吸入管３から内部に導入される空気Ａを、地中熱との間で熱交換し、他端２２側に接続される送風管４に冷風又は温風を送出する管状部材である。また、本実施形態で用いられる熱交換管２は、図示例のように水平方向で延設されるとともに、一端２１側から他端２２側に向かうに従って地中Ｅの下方に傾斜する第１勾配領域２Ａと、他端２２側から一端２１側に向かうに従って地中Ｅの下方に傾斜する第２勾配領域２Ｂとからなる。
【００２２】
また、熱交換管２は、掃除用縦管６の接続部２４と他端２２との間に、第１勾配領域２Ａと第２勾配領域２Ｂとの接続部２５が設けられている。そして、本実施形態では、この接続部２５、即ち、地中Ｅにおいて熱交換管２の最下部となる位置に排水管７が接続されている。また、図示例においては、熱交換管２の外壁に、接続部２５を覆うように樹脂シール材２５ａが配されている。
【００２３】
熱交換管２の材質としては、特に限定されないが、熱伝導性の高い樹脂材料等を用いることが好ましく、例えば、硬質塩化ビニル樹脂を用いることができる。この硬質塩化ビニル樹脂は、酸やアルカリ等の様々な環境下において良好な耐食性を有しており、また、材料コスト及び製造コストが比較的安価である点からも、熱交換管２の材質として好適である。
【００２４】
熱交換管２の形状としては、特に限定されず、通常の硬質塩化ビニル製のように円筒状であることが製造上好ましいが、外周面に所定間隔を隔てて複数の環状リブが形成されたものや、蛇腹状に波打った形状としても良く、通常の硬質塩化ビニル製の円筒管よりも扁平強度を顕著に高めることができる。
【００２５】
熱交換管２は、熱伝導率が０．５〜３．０Ｗ /ｍ ・Ｋの範囲であることが好ましい。熱交換管２の熱伝導率が上記範囲であれば、地中Ｅにおける土の熱伝導率０．７〜１．６Ｗ /ｍ ・Ｋと比較的近いことから、熱交換管２内の空気Ａと地中熱との熱交換が円滑に行われ、熱交換効率が向上する。このように、熱交換管２の熱伝導率を向上させるためには、主材である硬質塩化ビニル樹脂に熱伝導率の高い材料を含有させる。このような熱伝導率の高い材料としては、例えば、鉄、すず、亜鉛、金、銅、銀、クロム、チタン、マグネシウム等の金属やそれらの酸化物、アルミナや窒化珪素等の無機材料、及び、カーボングラファイト等をそれぞれ単体又は複数を混合したものが挙げられる。
【００２６】
また、熱交換管２は、熱放射率が０．８以上であることが好ましい。熱放射率がこの範囲であることで、熱交換管２自体に留まる熱量を減少でき、熱交換管２内の空気Ａと地中熱との熱交換効率を向上させることができる。このように、熱交換管２の熱放射率を向上させるためには、主材である硬質塩化ビニル樹脂に熱放射率の高い材料を含有させる。このような熱放射率の高い材料としては、例えば、酸化ケイ素、酸化チタン、酸化マンガン、珪酸ナトリウム、炭化ケイ素、カーボンブラック、酸化マグネシウム、及び、天然の蛇紋石等が挙げられる。
【００２７】
熱交換管２の径としては、特に限定されず、地中熱交換空調システム１としての冷暖房性能、即ち、送風量等を考慮しながら適宜選定することができ、例えば、口径１５０ｍｍ以上４５０ｍｍ以下程度の内径とすることが好ましい。
【００２８】
また、熱交換管２の肉厚としても、特に限定されないが、地中Ｅに埋設された際の地中圧に耐えうる強度を有し、且つ、内部を流通する空気Ａとの地中熱との熱交換効率に優れていることが求められる。さらに、熱交換管２の肉厚としては、これらを全て考慮した場合、例えば、２．４ｍｍ以上３．５ｍｍ以下程度の肉厚とすることが好ましい。
【００２９】
特に、送風量と熱交換効率を考慮したとき、熱交換管の内径が小さく肉厚が厚いと熱交換効率が著しく悪化するため、熱交換管２としては口径３００ｍｍ以上４５０ｍｍ以下の内径で、肉厚が３．０ｍｍ以上３．５ｍｍ以下のものを用いるのが好ましい。
【００３０】
熱交換管２の成形方法としては、特に限定されず、押出成形の他、例えば、中空成形、回転成形、射出成形等によって成形することができる。
【００３１】
吸入管３は、熱交換管２の一端２１側に接続されるとともに、地上に向けて鉛直方向で延設され、地上に露出した吸入口３１から空気Ａを吸入する管状の部材である。図１に示す吸入管３は、略Ｓ字状に形成されており、取付口３２が熱交換管２の一端２１に接続されている。
吸入管３の材質としては、特に限定されないが、硬質塩化ビニル樹脂を主材とする樹脂材料を用いれば良く、例えば、上記の熱交換管２と同じ材料を採用してもよい。
【００３２】
送風管４は、熱交換管２の他端２２側に接続されるとともに、地上に向けて鉛直方向で延設され、地上に露出した送風口４１から熱交換後の空気Ａを図示略の室内空間に向けて送出する管状の部材である。また、図示例の送風管４は、一端側に設けられる送風口４１が水平方向を向いて開口するように構成されている。図１に示す送風管４も、上記の吸入管３と同様、略Ｓ字状に形成されており、取付口４２が熱交換管２の他端２２に接続されている。
送風管４の材質としても、特に限定されず、上記の吸入管３と同様の樹脂材料を用いることができる。
【００３３】
点検用縦管５は、熱交換管２内の一端２１側寄りに接続されるとともに、地上に向けて鉛直方向で延設され、地上に開口する管状の部材である。図示例では、点検用縦管５の接続端５２が、熱交換管２の第１勾配領域２Ａにおける接続部２３に接続されるとともに、吸入管３と概略で平行に延設されている。また、図示例では、接続端５２と反対側の端部に設けられる開口５１が、地面Ｇと面一に形成されている。
点検用縦管５の材質としても、特に限定されず、上記の吸入管３や送風管４と同様の樹脂材料を用いることができる。
【００３４】
点検用縦管５は、例えば、定期又は不定期で地中熱交換空調システム１の点検を行うにあたり、熱交換管２の内部にカメラ等を導入して観察を行うこと等を目的として設けられる。
【００３５】
掃除用縦管６は、熱交換管２内の点検用縦管５と他端２２側との間に接続されるとともに、地上に向けて鉛直方向で延設され、地上に開口する管状の部材である。図示例では、掃除用縦管６の接続端６２が、熱交換管２の第２勾配領域２Ｂにおける接続部２４に接続されるとともに、点検用縦管５等の他の管状部材と概略で平行に延設されている。また、図示例では、接続端６２と反対側の端部に設けられる開口６１が、点検用縦管５の開口５１と同様、地面Ｇと面一に形成されている。
掃除用縦管６の材質としても、特に限定されず、上記の吸入管３等と同様の樹脂材料を用いることができる。
【００３６】
排水管７は、熱交換管２内掃除用縦管６との接続部２４と他端２２側との間に配置された接続部２５に接続される管状部材である。また、図示例においては、上記の接続部２５に排水受７１が接続され、この排水受７１の下部に排水管７が接続されている。
排水管７の材質としても、特に限定されず、上記の吸入管３等と同様の樹脂材料を用いることができる。
【００３７】
本実施形態の排水管７は、第１勾配領域２Ａと第２勾配領域２Ｂとの接続部２５に接続されたものなので、地中Ｅにおける低い位置に配置されることから、熱交換管２内に存在する水を効率的に排出させることができる。また、排水管７に流入した水は、図示略のポンプを介して下水管に流出する。
【００３８】
次に、上記の各構成を備える本実施形態の地中熱交換空調システム１を用いて、図示略の屋内空間の冷暖房を行う場合の動作について、図１を参照しながら説明する。
まず、図示略の送風機を動作せることで、吸入管３の吸入口３１からの熱交換管２への空気Ａの導入を開始する。熱交換管２内に導入された空気Ａは、図１中に矢印で示す経路で、地中Ｅに埋設された熱交換管２内を、一端２１側から他端２２側に向けて流れる。この際、熱交換管２内を流れる空気Ａは地中熱との間で熱交換されるが、地中Ｅの温度は年間を通して概ね１５℃程度と一定しているため、例えば、外気温が高い場合には空気Ａが冷却され、外気温が低い場合には空気Ａが加熱される。
【００３９】
そして、他端２２側に到達した空気Ａは、他端２２に接続された送風管４に導入され、送風口４１から図示略の屋内空間に向けて送出される。この際、屋内空間は、送風口４１から送出される温風又は冷風によって冷暖房が行われる。
【００４０】
ここで、熱交換管２により、空気Ａと地中熱との熱交換が行われる際、特に夏季における使用時、吸入管３によって外部から取り込まれる空気Ａが高温高湿状態のため、熱交換管２内に結露が生じ、管内に水が発生した状態となる場合がある。このような結露は、主として、熱交換管２の上流側、即ち吸入管３側で多く発生する。本実施形態においては、熱交換管２に上記の第１勾配領域２Ａ及び第２勾配領域２Ｂが設けられていることから、内部で発生した結露水が地中Ｅの下方に向けて流れ易くなり、熱交換管２の最下部、即ち接続部２５の位置で接続された排水管７で滞りなく排出されるという効果が得られる。
【００４１】
一方、例えば、熱交換管における吸入管側に排水管が接続されていると、管内の汚れた水が吸入管側に向かって流れることになるが、この場合、取り込まれた空気によって水が送風管側に押し戻され、逆に熱交換管内が汚れてしまうおそれがある。このため、本実施形態においては、熱交換管２に対する排水管７の接続位置を、掃除用縦管６の接続部２４と他端２２との間に設けられた接続部２５に限定している。
【００４２】
次に、本実施形態の地中熱交換空調システム１に備えられる熱交換管２内を洗浄する場合の手順について、図２及び図３を参照して説明する。
まず、図２に示すように、掃除用縦管６の開口６１から、高圧洗浄機８に備えられるホース８１を挿入する。この際、ホース８１の先端部に設けられる吐出部８１Ａから、掃除用縦管６の内部に順次挿入してゆく。また、吐出部８１Ａから高圧で洗浄水を吐出しながらホース８１を掃除用縦管６に挿入することで、掃除用縦管６内の洗浄を行うことができる。
【００４３】
そして、図３に示すように、吐出部８１Ａは、接続部２４において熱交換管２の内壁と当接した後、熱交換管２の上流側、即ち、点検用縦管５及び吸入管３側に向けて移動しながら高圧で洗浄水を吐出し、熱交換管２内の洗浄を行う。
【００４４】
ここで、地中熱交換空調システム１は、熱交換管２に対して、空気Ａの吸入側から、吸入管３、点検用縦管５、掃除用縦管６及び送風管４が順次接続された構成を採用している。これにより、上記のように、掃除用縦管６から洗浄用のホース８１を導入して洗浄水を吐出する際、熱交換管２の下流側から、特に結露の発生が著しい熱交換管２の上流側に向けて、むら無く洗浄水を供給できる。即ち、高圧洗浄機８のホース８１に設けられた吐出部８１Ａから、熱交換管２の内壁に対して洗浄水を万遍なく供給することができるので、熱交換管２の内部を均一に洗浄することが可能になる。
【００４５】
また、上記のような洗浄処理の際には、熱交換管２の内壁等に付着した塵埃等を含む汚れた洗浄水が多く発生する。本実施形態の地中熱交換空調システム１においては、熱交換管２が、上記の第１勾配領域２Ａと第２勾配領域２Ｂとからなる構成とされているので、汚れた洗浄水が地中Ｅの下方に向けて流れ易くなり、排水管７で滞りなく排出されるという効果が得られる。
【００４６】
なお、本実施形態においては、図示例のように、熱交換管２の掃除用縦管６との接続部２４における、掃除用縦管６と径方向で相対する位置、即ち、図中において熱交換管２の地中Ｅの下方を向いた側の外壁に、補強部２６が設けられた構成を採用してもよい。これにより、例えば、掃除用縦管６にホース８１を導入した際、吐出部８１Ａが熱交換管２の内壁に強く接触（衝突）した場合でも、この箇所が破損するのを抑制できる。
補強部２６としては、特に限定されず、一定の強度を有する樹脂部材等を用い、熱交換管２の外壁に接着する等の方法で取り付けることが可能である。
【００４７】
ここで、上記のような熱交換管２と掃除用縦管６との接続部２４、あるいは、熱交換管２と点検用縦管５との接続部２３には、詳細な図示を省略するが、通常、従来公知の分岐サドル等が用いられる。本実施形態においては、上記構成の補強部２６に代えて、例えば、接続部２４に用いられる分岐サドルとして、熱交換管２に用いられる材質よりも高強度のものを採用するか、あるいは、分岐サドルを２重管にすることでも、上述のような破損防止効果が得られる。
【００４８】
また、本実施形態においては、図４に示す地中熱交換空調システム１０のように、掃除用縦管１６が、熱交換管２に対して、他端２２側から一端２１側に向かうに従って地中Ｅの下方に傾斜するように接続されている構成を採用してもよい。図４に示す例では、熱交換管２に対して、掃除用縦管１６の接続端１６ｂが接続部２４Ａの位置で接続されている。
【００４９】
図４に示す地中熱交換空調システム１０によれば、上記構成により、開口１６ａから掃除用縦管１６内に洗浄用のホース８１を導入した際、熱交換管２と掃除用縦管１６との接続部２４Ａにおいて、ホース８１の先端に設けられた吐出部８１Ａがスムーズに熱交換管２内に導入される。これにより、洗浄時の作業性が向上するとともに、熱交換管２内にむらなく洗浄水を供給することが可能となる。
【００５０】
また、本実施形態においては、詳細な図示を省略するが、例えば、図１〜図４に示す掃除用縦管６，１６及び点検用縦管５の各接続部２３，２４，２４Ａにおいて、各縦管の下端近傍がＲ形状に形成されていることがより好ましい。これにより、各々の接続部２３，２４，２４Ａにおいて、洗浄用のホースやカメラケーブル等が通過し易くなるので、洗浄時や点検時の作業性が向上するとともに、各部位での摺動等に起因する損傷を防止することが可能となる。
【００５１】
以上で説明した各実施形態における各構成及びそれらの組み合わせ等は一例であり、本発明の趣旨を逸脱しない範囲で、構成の付加、省略、置換、及びその他の変更が可能である。また、本発明は各実施形態及び各実施例によって限定されることはない。
【符号の説明】
【００５２】
１，１０…地中熱交換空調システム
２…熱交換管
２Ａ…第１勾配領域
２Ｂ…第２勾配領域
２１…一端
２２…他端
２３…接続部（熱交換管に対する点検用縦管の接続部）
２４，２４Ａ…接続部（熱交換管に対する掃除用縦管の接続部）
２５…接続部（第１勾配領域と第２勾配領域との接続部）
２５ａ…樹脂シール材
２６…補強部
３…吸入管
３１…吸入口
３２…取付口
４…送風管
４１…送風口
４２…取付口
５…点検用縦管
５１…開口
５２…接続端
６，１６…掃除用縦管
６１，１６ａ…開口
６２，１６ｂ…接続端
７…排水管
７１…排水受
８…高圧洗浄機
８１…ホース
８１Ａ…吐出部
Ａ…外気
Ｅ…地中。
【図１】
0006386325.tif 000002
【図２】
0006386325.tif 000003
【図３】
0006386325.tif 000004
【図４】
0006386325.tif 000005